(57)【要約】【課題】ロール状に巻回した用紙から付箋紙などの印刷物を作成する。【解決手段】ロール状に巻回した用紙Ｐに情報を印刷する印刷手段３０と、印刷済みの用紙Ｐと対向した位置に設置された転写ローラ５５を有し、転写ローラ５５を介して粘着剤を印刷済みの用紙Ｐに転写するための粘着剤転写具５０と、転写ローラ５５と対向する位置に回転自在に設けられ且つ転写ローラ５５に対して接離自在に設けられたプラテンローラ７５と、プラテンローラ７５の転写ローラ５５への接離動作に追従するように移動し、プラテンローラ７５上の用紙の幅方向における転写ローラ５５が接離する部位を除いた部位に常時圧接しながら印刷済みの用紙Ｐを下流側に搬送する用紙搬送部材６２と、印刷済みの用紙Ｐを所望の長さに切断する切断手段４０と、を備えたメモプリンタ１を提供する。【選択図】図１
2014234293.tif 000002
【特許請求の範囲】
【請求項１】
ロール状に巻回した用紙を装填するロール紙装填部を有する筐体と、
前記ロール紙装填部に装填された前記用紙を搬送方向の下流側に向かって搬送しながら該用紙に情報を印刷する印刷手段と、
前記印刷手段よりも搬送方向の下流側で印刷済みの用紙と対向した位置に設置された転写ローラを有し、該転写ローラを介して粘着剤を前記印刷済みの用紙に転写するための粘着剤転写具と、
前記転写ローラと対向する位置に回転自在に設けられ、且つ、前記転写ローラに対して接離自在に設けられたプラテンローラと、
前記プラテンローラの前記転写ローラへの接離動作に追従するように移動し、前記プラテンローラ上の前記用紙の幅方向における前記転写ローラが接離する部位を除いた部位に常時圧接しながら前記印刷済みの用紙を下流側に搬送する用紙搬送部材と、
前記印刷済みの用紙を所望の長さに切断する切断手段と、を備え、
前記プラテンローラと、該プラテンローラの前記転写ローラへの接離動作に追従する用紙搬送部材との協働により、前記印刷済みの用紙を前記転写ローラに接触させる第１の用紙経路と、前記印刷済みの用紙を前記転写ローラから離間させる第２の用紙経路とに切り替えることを特徴とするメモプリンタ。
【請求項２】
前記筐体の外面上に前記粘着剤転写具を露出させた状態で着脱自在に設置する粘着剤転写具着脱手段を備えたことを特徴とする請求項１記載のメモプリンタ。
【発明の詳細な説明】
【技術分野】
【０００１】
本発明は、ロール状に巻回した用紙にメモなどの情報を印刷手段により印刷した後に、印刷済みの用紙に剥離可能な粘着剤を粘着剤転写具の転写ローラにより転写し且つ粘着剤を転写した用紙を切断手段により所望の長さに切断して、付箋紙などの印刷物を作成できるメモプリンタに関する。
【背景技術】
【０００２】
一般的に、メモプリンタは、小型軽量で消費電力が小さく、メモとして残しておきたい情報などを印刷して、付箋紙などの形態で印刷物を作成するのに適している。
【０００３】
この種のメモプリンタの一例として、ロール状に巻回した記録紙上にメモなどの情報を印刷した後に、印刷済みの記録紙に粘着剤を転写し且つ粘着剤を転写した記録紙を所望の長さに切断して、付箋紙などの印刷物を作成できるプリンタがある（例えば、特許文献１参照）。
【０００４】
特許文献１に開示されたプリンタは、ここでの図示を省略するが、プリンタ本体部内に、ロール状に巻回した記録紙を装填するロール紙装填部と、このロール紙装填部よりも下流側でロール状の記録紙にメモなどの情報を印刷する記録ヘッド（サーマルヘッド）と、この記録ヘッドに記録紙を介して接するプラテンローラと、印刷済みの記録紙を所望の長さに切断するオートカッターとを備えている。
【０００５】
また、オートカッターよりも下流側に粘着剤転写部と、この粘着剤転写部と対向した押圧機構とを備えている。
【０００６】
ここで、上記した粘着剤転写部は、供給ドラムと巻取ドラムとの間に粘着剤テープが巻回されている。また、供給ドラムと巻取ドラムとの間には、粘着剤テープのベースフィルムに接するように転写ローラが一つの回転軸の中央部位に取り付けられていると共に、一つの回転軸上で転写ローラを挟んだ両端側に記録紙を搬送するための一対の繰り出しローラが取り付けられている。
【０００７】
この際、上記した一つの回転軸は、回転駆動源の歯車列と電磁クラッチを介して連結されているので、電磁クラッチをＯＮ／ＯＦＦ制御することで、歯車列の回転を一つの回転軸に伝達したり、又は、伝達しないようになっている。
【０００８】
一方、押圧機構は、平板状の加圧プラテン（押圧部材）がプランジャを介して粘着剤転写部の転写ローラに接離自在になっている。
【０００９】
上記のように構成したプリンタでは、記録ヘッドとプラテンローラとの間でロール状の記録紙を挟持搬送しながらメモなどの情報を印刷した後に、加圧プラテンを印刷済みの記録紙及び粘着剤テープを介して転写ローラ側に押圧して、この記録紙に粘着剤テープの粘着剤を転写すると共に、加圧プラテンと一対の繰り出しローラとで印刷済みの記録紙をニップしながらこの記録紙を下流側に向けて搬送し、更に、粘着剤を転写した記録紙をオートカッターにより所望の長さに切断することで、付箋紙などの印刷物を作成できることが記載されている。
【先行技術文献】
【特許文献】
【００１０】
【特許文献１】特開２０１１−２３５５９５号公報
【発明の概要】
【発明が解決しようとする課題】
【００１１】
ところで、特許文献１に開示されたプリンタでは、印刷済みの記録紙に粘着剤テープの粘着剤を転写するのを中止するときには、加圧プラテンを転写ローラから離間させるが、この際に転写ローラの両端側に同軸的に設けた一対の繰り出しローラも同時に離間するので、粘着剤を転写した記録紙はニップされなくなるために、上流側で切断された記録紙を下流側に搬送することができなくなってしまう致命的な欠点がある。
【００１２】
また、粘着剤転写部は、前述したように転写ローラと一対の繰り出しローラとが一つの回転軸上に取り付けられて、この一つの回転軸が電磁クラッチを介して回転駆動源の歯車列に連結されているので、粘着剤テープを交換するときには一つの回転軸を分解しなければならないために、粘着剤テープの交換作業が困難で熟練を要するなどの問題がある。
【００１３】
更に、印刷済みの記録紙に粘着剤テープの粘着剤を転写させない場合に、加圧プラテンを転写ローラから離間させると共に、粘着剤テープを巻き取らないように電磁クラッチを非接触状態に切り換えて転写ローラ及び一対の繰り出しローラの回転を停止させねばならないので、粘着剤転写部は高価な電磁クラッチが必要であり、且つ、転写ローラ及び一対の繰り出しローラの回転伝達機構が大型化するなどの問題もある。
【００１４】
そこで、ロール状に巻回した用紙にメモなどの情報を印刷した後に、印刷済みの用紙に剥離可能な粘着剤（糊）を転写し且つ粘着剤を転写した用紙を所望の長さに切断して付箋紙などの印刷物を作成する際に、印刷済みの用紙を所望の長さに切断しても、切断した用紙を下流側に向けて確実に搬送することができ、更に、粘着剤転写具（テープ糊カセット）に高価な電磁クラッチなどを用いることなく、構造が簡単な粘着剤転写具（テープ糊カセット）を用いて印刷済みの用紙に粘着剤（糊）を転写して付箋紙などの印刷物を容易に作成でき、且つ、使用済みの粘着剤転写具（テープ糊カセット）を着脱自在に交換できるメモプリンタを提供することを目的とする。
【課題を解決するための手段】
【００１５】
本発明は上記課題に鑑みてなされたものであり、請求項１記載の発明は、ロール状に巻回した用紙を装填するロール紙装填部を有する筐体と、
前記ロール紙装填部に装填された前記用紙を搬送方向の下流側に向かって搬送しながら該用紙に情報を印刷する印刷手段と、
前記印刷手段よりも搬送方向の下流側で印刷済みの用紙と対向した位置に設置された転写ローラを有し、該転写ローラを介して粘着剤を前記印刷済みの用紙に転写するための粘着剤転写具と、
前記転写ローラと対向する位置に回転自在に設けられ、且つ、前記転写ローラに対して接離自在に設けられたプラテンローラと、
前記プラテンローラの前記転写ローラへの接離動作に追従するように移動し、前記プラテンローラ上の前記用紙の幅方向における前記転写ローラが接離する部位を除いた部位に常時圧接しながら前記印刷済みの用紙を下流側に搬送する用紙搬送部材と、
前記印刷済みの用紙を所望の長さに切断する切断手段と、を備え、
前記プラテンローラと、該プラテンローラの前記転写ローラへの接離動作に追従する用紙搬送部材との協働により、前記印刷済みの用紙を前記転写ローラに接触させる第１の用紙経路と、前記印刷済みの用紙を前記転写ローラから離間させる第２の用紙経路とに切り替えることを特徴とするメモプリンタである。
【００１６】
また、請求項２記載の発明は、上記した請求項１記載のメモプリンタにおいて、
前記筐体の外面上に前記粘着剤転写具を露出させた状態で着脱自在に設置する粘着剤転写具着脱手段を備えたことを特徴とするメモプリンタである。
【発明の効果】
【００１７】
請求項１記載のメモプリンタによると、ロール状に巻回した用紙にメモなどの情報を印刷手段により印刷した後に、印刷済みの用紙に剥離可能な粘着剤を粘着剤転写具の転写ローラにより転写し且つ粘着剤を転写した用紙を切断手段により所望の長さに切断して付箋紙などの印刷物を作成する際に、とくに、プラテンローラの転写ローラへの接離動作に追従する用紙搬送部材をプラテンローラ上の用紙の幅方向における転写ローラが接離する部位を除いた部位に常時圧接させているので、印刷済みの用紙に粘着剤を転写するときは勿論のこと、粘着剤を転写しない場合でも用紙を下流側に確実に搬送することができ、更に、粘着剤転写済みの用紙又は粘着剤を転写しない印刷済みの用紙を所望の長さに切断した後も下流側に搬送することができる。
【００１８】
この際、特許文献１記載におけるような印刷済みの記録紙に粘着剤テープの粘着剤を転写させない場合に、粘着剤テープを巻き取らないように電磁クラッチを非接触状態に切り換えて転写ローラ及び一対の繰り出しローラの回転を停止させる必要がないので、メモプリンタを小型化でき、且つ、使用勝手の良いメモプリンタを安価に提供できる。
【００１９】
更に、プラテンローラと、このプラテンローラの転写ローラへの接離動作に追従する用紙搬送部材との協働により、印刷済みの用紙を転写ローラに接触させる第１の用紙経路と、印刷済みの用紙を転写ローラから離間させる第２の用紙経路とに切り替えることができるので、これにより、用紙に粘着剤を転写する必要がなく、用紙が第２の用紙経路に沿って搬送される場合に、用紙に粘着剤が付着することを確実に防止できる。
【００２０】
また、請求項２記載のメモプリンタによると、筐体の外面上に粘着剤転写具を露出させ状態で着脱自在に設置する粘着剤転写具着脱手段を備えたために、使用済みの粘着剤転写具を容易に交換することができる。
【図面の簡単な説明】
【００２１】
【図１】本発明に係るメモプリンタを概念的に示した概念図であり、（ａ）はロール状の用紙に糊（粘着剤）を転写する場合を示し、（ｂ）はロール状の用紙に糊（粘着剤）を転写しない場合を示した図である。
【図２】本発明に係るメモプリンタにおいて、用紙への印刷時を示した図である。
【図３】本発明に係るメモプリンタにおいて、用紙への粘着剤転写時を示した図であり、（ａ）は用紙に糊を連続転写した状態を示し、（ｂ）は用紙に糊を不連続転写した状態を示した図である。
【図４】本発明に係る実施例のメモプリンタの外観形状を斜視的に示した外観斜視図である。
【図５】（ａ）は図４に示した筐体を取り除いた状態で全体構成を斜視的に示し、（ｂ）は（ａ）に示した下フレーム、上フレーム、後方フレームを取り除いた状態で全体構成を斜視的に示した斜視構成図である。
【図６】（ａ），（ｂ）はテープ糊カセット（粘着剤転写具）の筐体への着脱手段を説明するための斜視図，縦断面図である。
【図７】図５に示した用紙搬送手段を説明するための斜視図であり、（ａ）は用紙に糊を転写するときの用紙搬送手段の状態を示し、（ｂ）は用紙に糊を転写しないときの用紙搬送手段の状態を示した図である。
【図８】図５に示した粘着剤転写用プラテンローラ揺動押圧手段を説明するための斜視図である。
【図９】図５に示した粘着剤転写用プラテンローラ揺動押圧手段を分解して示した分解斜視図である。
【図１０】粘着剤転写用プラテンローラ揺動押圧手段の動作を説明するために模式的に示した動作図であり、（ａ）は用紙に糊を転写するときの状態を示し、（ｂ）は用紙に糊を転写しないときの状態を示した図である。
【図１１】粘着剤転写用プラテンローラ揺動押圧手段の動作を説明するために斜視的に示した動作図であり、（ａ）は用紙に糊を転写するときの状態を示し、（ｂ）は用紙に糊を転写しないときの状態を示した図である。
【発明を実施するための形態】
【００２２】
以下に本発明に係るメモプリンタの一実施例について、図１〜図１１を参照して詳細に説明する。
【００２３】
本発明に係るメモプリンタは、小型軽量で消費電力が小さく、且つ、メモなどの印刷情報を入力するためのパソコンと接続可能になっている。
【００２４】
そして、上記した本発明に係るメモプリンタを用いて、ロール状に巻回した用紙にメモなどの情報を印刷手段により印刷した後に、印刷済みの用紙に剥離可能な粘着剤（糊）を粘着剤転写具（テープ糊カセット）の転写ローラにより転写し且つ粘着剤を転写した用紙を切断手段により所望の長さに切断して、付箋紙などの印刷物を作成できるように構成されている。
【００２５】
ここで、本発明に係る実施例のメモプリンタを説明する前に、本発明に係るメモプリンタについて図１（ａ），（ｂ）を用いて概念的に先に説明する。
【００２６】
図１（ａ）は本発明に係るメモプリンタを用いてロール状の用紙に糊（粘着剤）を転写する場合を示し、（ｂ）はロール状の用紙に糊（粘着剤）を転写しない場合を示している。
【００２７】
図１（ａ），（ｂ）に示す如く、本発明に係るメモプリンタ１では、ロール状に巻回した未印刷の用紙Ｐが筐体１０内に形成した不図示のロール紙装填部に回転自在に装填されている。また、ロール紙装填部よりも用紙搬送方向の下流には、用紙Ｐにメモなどの情報を印刷する印刷手段３０と、印刷済みの用紙Ｐを所望の長さに切断する切断手段４０とがこの順に設置されている。
【００２８】
上記した印刷手段３０は、ロール状の用紙Ｐとして感熱紙を適用した場合に、用紙Ｐの搬送方向と直交する用紙幅方向に沿って長尺に形成されたサーマルヘッド３１と、第１モータ３２に連結された不図示の第１減速ギア列を介して時計方向に回転すると共に用紙Ｐの幅方向に沿って長尺に形成された印刷用プラテンローラ（以下、第１プラテンローラと記す）３３とからなる。
【００２９】
そして、ロール紙装填部に装填された未印刷の感熱紙Ｐをサーマルヘッド３１と第１プラテンローラ３３との間で挟持しながらメモなどの情報を感熱印刷して用紙搬送方向の下流側に向かって搬送している。
【００３０】
この際、サーマルヘッド３１は第１プラテンローラ３３に対して不図示の接離手段を介して接離自在になっており、このサーマルヘッド３１を第１プラテンローラ３３から離間させたときに使用済みの用紙Ｐの交換が可能になっている。
【００３１】
尚、印刷手段３０は、ロール状の用紙Ｐとして普通紙を適用した場合に、サーマルヘッド３１に代えて不図示のインクジェットヘッドなどを用いて印刷することも可能である。
【００３２】
また、上記した切断手段４０は、印刷手段３０と後述する粘着剤転写具（テープ糊カセット）５０との間に設置されており、第２モータ４１に連結された不図示の第２減速ギア列を介して移動する可動カッター４２と、この可動カッター４２と対向して固定設置された固定カッター４３とからなる。
【００３３】
そして、一対のカッター４２，４３により後述する糊転写済みの用紙Ｐ又は糊を転写しない印刷済みの用紙Ｐを所望の長さに切断している。この際、用紙Ｐの切断は、用紙Ｐに印刷した後、又は、印刷済みの用紙Ｐに糊を転写するときと同じタイミング、又は、用紙Ｐに糊を転写した後のタイミングのいずれかに設定されている。
【００３４】
また、切断手段４０よりも用紙搬送方向の下流側には、印刷済みの用紙Ｐに粘着剤（糊）を転写するための転写ローラ５５を有する粘着剤転写具（テープ糊カセット）５０と、後述する粘着剤転写用プラテンローラ（以下、第２プラテンローラと記す）７５の転写ローラ５５への接離動作に追従して移動し且つ用紙Ｐを介して第２プラテンローラ７５を押圧しながらこの第２プラテンローラ７５と協働して用紙Ｐを筐体１０の外に排出するように搬送する用紙搬送部材６２を有する用紙搬送手段６０とが設置されている。
【００３５】
上記した粘着剤転写具５０は、筐体１０外面上に露出した状態で着脱自在に設置されている。
【００３６】
ここでは、粘着剤転写具５０としてテープ糊カセットが適用されている。この粘着剤転写具（以下、テープ糊カセットと記す）５０は、略透明なカセットケース５１の幅寸法が用紙Ｐの幅寸法に対して例えば１／５程度に幅狭く形成され、且つ、カセットケース５１の長さが長く形成されており、用紙Ｐの幅方向の一方の端部側（例えば右端部側）に設置されている。
【００３７】
そして、カセットケース５１内に回転自在に設けた一対のリール５２，５３にテープ糊５４が巻回されていると共に、一対のリール５２，５３間に弾性を有する転写ローラ５５がテープ糊５４を巻き付けながらこのカセットケース５１の長手方向の先端部５１ａに回転自在に設けられており、且つ、転写ローラ５５の一部がカセットケース５１の先端部５１ａから外部に僅かに露出して印刷手段３０よりも搬送方向の下流側で印刷済みの用紙Ｐと対向してこの用紙Ｐに接触可能に設置されている。
【００３８】
この際、テープ糊５４はベースフィルムの一方の面に、接着能力が比較的弱く何回も剥離できる弱粘着性を有する糊（図示せず）が付着されて、この一方の面側が用紙Ｐと対向する面であり、糊が付着されていないベースフィルムの他方の面側が転写ローラ５５に巻き付いている。
【００３９】
また、カセットケース５１内の一対のリール５２，５３は、一方が供給リール５２であり、他方が巻取リール５３である。
【００４０】
この際、供給リール５２と一体に回転する大径ギア（又は不図示の大径プーリー）５２ａと、巻取リール５３と同軸上で不図示の摩擦板を介して回転する小径ギア（又は不図示の小径プーリー）５３ａとを噛合（又は不図示のベルト伝達）させることで、転写ローラ５５に巻き付いたテープ糊５４を用紙Ｐに押し当てながら用紙Ｐの搬送動作に伴って、供給リール５２から送り出されたテープ糊５４が転写ローラ５５を経由して巻取リール５３に自動的に巻き取られるようになっている。
【００４１】
従って、テープ糊カセット５０にリール回転用の駆動源や電磁クラッチを用いる必要がないので、テープ糊カセット５０の構造が簡単になり、且つ、消耗品として安価に提供できる。
【００４２】
尚更に、粘着剤は、テープ糊５４に限定されることなく、剥離性を有する糊であれば良いものである。
【００４３】
また、上記した用紙搬送手段６０は、用紙搬送部材６２が用紙Ｐの幅方向に沿って転写ローラ５５よりも図示手前側に設置されている。
【００４４】
ここでは、用紙搬送部材６２として用紙搬送ローラが適用されている。この用紙搬送部材（以下、用紙搬送ローラと記す）６２は不図示のスライド部材及びバネを介して第２プラテンローラ７５上の用紙Ｐの幅方向における転写ローラ５５が接離する部位を除いた部位を常時圧接しているので、回転駆動される第２プラテンローラ７５と用紙搬送ローラ６２との間で用紙Ｐを挟持しながらこの用紙Ｐを下流側に向かって搬送可能になっている。
【００４５】
尚、用紙搬送部材６２として平板状プラテン（図示せず）を用い、この平板状プラテン（図示せず）を不図示のスライド部材及びバネ（図示せず）を介して第２プラテンローラ７を常時圧接することで用紙Ｐを搬送することも可能であるが、平板状プラテン（図示せず）を用いた場合には用紙搬送ローラ６２を用いた場合よりも第２プラテンローラ７５の回転負荷が大きくなる。
【００４６】
また、筐体１０内には、テープ糊カセット５０及び用紙搬送手段６０に対向して粘着剤転写用プラテンローラ揺動押圧手段７０が設置されている。
【００４７】
上記した粘着剤転写用プラテンローラ揺動押圧手段７０では、長尺な揺動アーム７１の一端側を軸支した支点軸７２を揺動支点とし、且つ、一端側と反対の他端側に第３モータ７３に連結された不図示の第３減速ギア列を介して第２プラテンローラ（粘着剤転写用プラテンローラ）７５が回転自在に取り付けられている。
【００４８】
この際、上記した第２プラテンローラ７５は、用紙Ｐの幅方向に沿って長尺に形成されており、且つ、用紙Ｐを挟んでテープ糊カセット５０の転写ローラ５５と用紙搬送ローラ６２とに対向している。
【００４９】
また、揺動アーム７１は、偏心部材駆動部８０により揺動可能になっている。この偏心部材駆動部８０では、第４モータ８１に連結された不図示の第４減速ギア列を介して回転軸８３と一体に回転する偏心カム８４が揺動アーム７１に当接している。そして、揺動アーム７１は、偏心カム８４の回転と用紙搬送手段の押圧とにより支点軸７２を中心にして時計方向又は反時計方向に揺動自在に支持されている。
【００５０】
尚、粘着剤転写用プラテンローラ揺動押圧手段７０において、揺動アーム７１を揺動させる機構として回転自在な偏心カム８４を用いたが、偏心カム８４に代えて後述の実施例で説明する偏心ピンや、不図示の電磁ソレノイドなどを用いても良い。
【００５１】
上記のように構成した本発明に係るメモプリンタ１の動作において、図１（ａ）に示す如く、ロール状の用紙Ｐに糊（粘着剤）を転写する場合に、まず、ロール状の用紙Ｐを印刷手段３０内のサーマルヘッド３１と、時計方向に回転している第１プラテンローラ３３とで挟持搬送しながらサーマルヘッド３１によりメモなどの情報を図２に示したように用紙Ｐの表面Ｐａに印刷する。
【００５２】
そして、印刷済みの用紙Ｐがテープ糊カセット５０の転写ローラ５５に到達した後に、粘着剤転写用プラテンローラ揺動押圧手段７０内で偏心部材駆動部８０の偏心カム８４を回転させて、この偏心カム８４の大径部８４ａが揺動アーム７１に当接したら回転を止めると、揺動アーム７１が一端側の支点軸７２を中心にして時計方向に揺動する。
【００５３】
これに伴って、揺動アーム７１の他端側に取り付けた第２プラテンローラ７５が反時計方向に回転しながら用紙Ｐ及びテープ糊５４を挟んだ状態でテープ糊カセット５０の転写ローラ５５を押圧するので、図３（ａ）に示したように用紙Ｐの裏面Ｐｂにテープ糊５４の糊が連続して転写され、且つ、用紙Ｐは切断手段４０により所望の長さＬに切断されて、付箋紙などの印刷物が作成される。
【００５４】
この際、用紙搬送手段６０の用紙搬送ローラ６２は不図示のバネの付勢力により第２プラテンローラ７５を常時圧接しているので、糊転写済みの用紙（付箋紙）Ｐは両ローラ６２，７５により糊を転写する場合の用紙経路ＰＫ１に沿って筐体１０の外に確実に排出されると共に、糊転写済みの用紙Ｐを所望の長さＬに切断した後もこの用紙Ｐを下流側に向かって搬送できる。
【００５５】
一方、図１（ｂ）に示す如く、ロール状の用紙Ｐに糊（粘着剤）を転写しない場合にも、印刷手段３０によりロール状の用紙Ｐにメモなどの情報を印刷する。
【００５６】
そして、印刷済みの用紙Ｐがテープ糊カセット５０の転写ローラ５５を通過する前に、粘着剤転写用プラテンローラ揺動押圧手段７０内で偏心部材駆動部８０の偏心カム８４を図１（ａ）の状態から１８０°回転させて、この偏心カム８４の小径部８４ｂが揺動アーム７１に当接したら回転を止めると、揺動アーム７１が一端側の支点軸７２を中心にして反時計方向に揺動する。
【００５７】
これに伴って、揺動アーム７１の他端側に取り付けた第２プラテンローラ７５が反時計方向に回転しながら用紙Ｐ及びテープ糊５４を介してテープ糊カセット５０の転写ローラ５５から離間するので、用紙Ｐも転写ローラ５５から離間する。
【００５８】
この際、用紙搬送手段６０の用紙搬送ローラ６２は不図示のバネの付勢力により転写ローラ５５から離間した第２プラテンローラ７５に追従して移動し、この第２プラテンローラ７５を常時圧接しているので、糊を転写しない場合でも印刷済みの用紙Ｐは両ローラ６２，７５により糊を転写しない場合の用紙経路ＰＫ２に沿って筐体１０の外に確実に排出されると共に、糊を転写しない用紙Ｐを所望の長さＬに切断した後もこの用紙Ｐを下流側に向かって搬送できる。
【００５９】
従って、第２プラテンローラ７５の転写ローラ５５への接離動作に追従して第２プラテンローラ７５側に圧接する用紙搬送ローラ６２は、印刷済みの用紙Ｐを転写ローラ５５に接触させる第１の用紙経路（糊を転写する場合の用紙経路）ＰＫ１と、印刷済みの用紙Ｐを転写ローラ５５から離間させる第２の用紙経路（糊を転写しない場合の用紙経路）ＰＫ２とに用紙経路を切り替える機能を有すると共に、第２プラテンローラ７５と協働して用紙Ｐを搬送する機能を備えていることになる。
【００６０】
これにより、用紙Ｐに糊を転写する必要がなく、用紙Ｐが第２の用紙経路に沿って搬送される場合に、用紙Ｐに糊が付着することを確実に防止できる。
【００６１】
尚、図３（ｂ）に示したように、用紙Ｐの裏面Ｐｂにテープ糊５４の糊を不連続転写して付箋紙などの印刷物を作成する場合には、図１（ａ）に示した状態と、図１（ｂ）に示した状態とをそれぞれタイミングを計りながら交互に切り替えれば良いものである。
【実施例】
【００６２】
図４は本発明に係る実施例のメモプリンタの外観形状を斜視的に示している。また、図５（ａ）は図４に示した筐体を取り除いた状態で全体構成を斜視的に示し、（ｂ）は（ａ）に示した下フレーム，上フレーム，後方フレームを取り除いた状態で全体構成を斜視的に示している。
【００６３】
尚、本発明に係る実施例のメモプリンタにおいて、先に図１（ａ），（ｂ）を用いて概念的に説明した本発明に係るメモプリンタと同一構成部材に対して同一符号を付して以下説明する。
【００６４】
図４に示す如く、本発明に係る実施例のメモプリンタ１は、小型軽量で消費電力が小さく、且つ、メモなどの印刷情報を入力するためのパソコンＰＣと接続可能になっている。
【００６５】
尚、本発明に係る実施例のメモプリンタ１において、用紙Ｐの搬送方向の上流側を前方側と呼称し、且つ、用紙Ｐの搬送方向の下流側を後方側と呼称すると共に、用紙Ｐを前方側から見たときに用紙幅方向に対して左右を設定して以下説明する。
【００６６】
また、上記したメモプリンタ１の外観を形成する筐体１０は、底枠１１と、底枠１１の前方上方部位に開閉自在に取り付けられた前蓋１２と、底枠１１の後方部位に開閉自在に取り付けられた後蓋１３とを突き合わせて小型な箱状に形成されている。
【００６７】
この際、前蓋１２と後蓋１３とが前後方向の略中間部位で突き合わされており、前蓋１２の天面１２ａと後蓋１３ａの天面１３ａとを突き合せたときに、前蓋１２の天面１２ａに用紙Ｐを排出する用紙排出口１２ａ１が用紙排出方向と直交する用紙幅方向に沿って開口されている。
【００６８】
そして、使用済みのロール状の用紙Ｐを交換する場合や、メモプリンタ１のサービス時に前蓋１２及び／又は後蓋１３を開蓋できるようになっている。
【００６９】
また、前蓋１２の天面１２ａ上に露出してテープ糊カセット（粘着剤転写具）５０が用紙Ｐの幅方向の右端部側にこの用紙Ｐと対向して着脱自在に設置されているので、使用済みのテープ糊カセット５０の交換が容易になっているが、このテープ糊カセット５０の筐体１０の外面への着脱手段については後で詳述する。
【００７０】
また、図５（ａ）に示す如く、筐体１０（図４）を取り外してメモプリンタ１内の構成部材について説明すると、基台となるフレームは、下フレーム２１と、下フレーム２１上の前方に開閉自在に支持された上フレーム２２と、下フレーム２１の後方に連接された後方フレーム２３とで構成されている。
【００７１】
そして、下フレーム２１の前方側には、ロール状に巻回した未印刷の用紙Ｐを装填するために凹状に窪んだロール紙装填部２１ａが設けられている。
【００７２】
また、下フレーム２１のうちで用紙幅方向の左右に一対の上面２１ｂ（左側のみ図示）が形成されており、これら左右一対の上面２１ｂから上方に向かって突出させた左右一対の突出片２１ｂ１（左側のみ図示）に上フレーム２２がロール状の用紙Ｐを覆うように開閉自在に取り付けられている。そして、上フレーム２２を開いたときに、使用済みの用紙Ｐを交換することが可能になっている。
【００７３】
また、下フレーム２１に形成したロール紙装填部２１ａよりも用紙搬送方向の下流には、印刷手段３０（図１）と切断手段４０（図１）とを一体的にユニット化した印刷／切断ユニット３０／４０が用紙Ｐの幅方向に沿って取り付けられている。
【００７４】
この際、図５（ｂ）中において、符番３２は印刷手段３０内の第１プラテンローラ３３（図１）を回転駆動するための第１モータであり、符番４１は切断手段４０内の可動カッター４２（図１）を駆動するための第２モータであり、更に、符番ＦＫは印刷／切断ユニット３０／４０用のフレキシブル基板である。
【００７５】
また、上記した上フレーム２２の上面２２ａ上には、用紙搬送手段６０がテープ糊カセット５０の設置位置とは重ならないように図示手前側で上面２２ａ上の幅方向中央部位に取り付けられているが、この用紙搬送手段６０については後で詳述する。
【００７６】
そして、図５（ａ）に示した下フレーム２１，上フレーム２２，後方フレーム２３を取り除くと、図５（ｂ）に示した如く、ロール状の用紙Ｐが露出した状態になる。
【００７７】
更に、図５（ａ）に示す如く、下フレーム２１の後方に連接した後方フレーム２３には、第２プラテンローラ（粘着剤転写用プラテンローラ）７５を揺動自在に支持する粘着剤転写用プラテンローラ揺動押圧手段７０が取り付けられている。
【００７８】
この際、後方フレーム２３は、用紙幅方向の左右側に設けた左右一対の側板部２３ａ，２３ｂと、左右一対の側板部２３ａ，２３ｂの各上方部位を連結する連結部２３ｃとからなり、左右一対の側板部２３ａ，２３ｂ間に粘着剤転写用プラテンローラ揺動押圧手段７０の揺動アーム７１の一端側が支点軸７２を介して揺動自在に支持され、且つ、揺動アーム７１の他端側に第２プラテンローラ７５が用紙Ｐを挟んでテープ糊カセット５０及び用紙搬送手段６０と対向して軸支されているが、この粘着剤転写用プラテンローラ揺動押圧手段７０については後で詳述する。
【００７９】
更に、メモプリンタ１を全体的に制御する制御部９０が、筐体１０（図１，図４）内の適宜な場所に設置されている。
【００８０】
ここで、上記した実施例１のメモプリンタ１内のうちで構成部材５０，６０，７０について順に説明する。
【００８１】
まず、図６（ａ），（ｂ）を用いてテープ糊カセット（粘着剤転写具）５０の筐体１０（図４）への着脱手段について説明する。図６（ａ）はテープ糊カセットを斜視的に示し、（ｂ）はテープ糊カセットを筐体の一部を構成する前蓋の天面上に装着した状態を一部断面して示している。
【００８２】
図６（ａ），（ｂ）に示す如く、テープ糊カセット（粘着剤転写具）５０は、略透明なカセットケース５１の長手方向の先端部５１ａからテープ糊５４（図１）を巻き付けた転写ローラ５５の一部が用紙Ｐ側に向かって僅かに露出していると共に、カセットケース５１の長手方向の後端部５１ｂ側は円弧状に形成されている。
【００８３】
また、カセットケース５１の底面５１ｄには、この底面５１ｄよりも下方に向かって筐体嵌込み部５１ｅがこのケース５１の長さよりも短いが長手方向に沿って長尺に形成されている。
【００８４】
また、カセットケース５１の筐体嵌込み部５１ｅの先端には、押圧部５１ｅ１が底面５１ｄよりも一段低く、このケース５１の先端部５１ａ側に向かって突出形成されている。
【００８５】
一方、筐体１０（図１）側には、略Ｌ字状の押圧レバー５６が引張バネ５７により一端側に形成した軸孔５６ａを中心にして反時計方向に付勢されながら回動自在に軸支されており、この押圧レバー５６の他端側に突出させたボス部５６ｂが筐体嵌込み部５１ｅの先端に形成した押圧部５１ｅ１に接離自在になっている。
【００８６】
また、カセットケース５１の筐体嵌込み部５１ｅの後端には、位置決め用凸部５１ｅ２がこのケース５１の後端部５１ｂ側に向かって突出形成されている。
【００８７】
一方、図６（ｂ）に示す如く、筐体１０の前方側に開閉自在に設けた前蓋１２の天面１２ａの幅方向の右端側には、長方形状の長孔１２ａ２がカセットケース５１の長手方向に沿って穿設されており、且つ、この長孔１２ａ２の長手方向の長さはカセットケース５１の筐体嵌込み部５１ｅの長手方向の長さよりも僅かに長く設定されている。
【００８８】
また、前蓋１２の天面１２ａに形成した長孔１２ａ２内の後端に連接して位置決め用凹部１２ａ３が凹状に形成されている。
【００８９】
そして、カセットケース５１の筐体嵌込み部５１ｅを前蓋１２の天面１２ａに形成した長孔１２ａ２内に斜めに傾けながら嵌め込んで、筐体嵌込み部５１ｅの先端に形成した押圧部５１ｅ１を押圧レバー５６でこのケース５１の後端部５１ｂ側に向かって押し込むと、カセットケース５１の筐体嵌込み部５１ｅの後端に形成した位置決め用凸部５１ｅ２が前蓋１２の天面１２ａの長孔１２ａ２内の後端に形成した位置決め用凹部１２ａ３に突き当たるので、テープ糊カセット５０が前蓋１２の天面１２ａ上に確実に位置決めして搭載される。
【００９０】
このとき、カセットケース５１の筐体嵌込み部５１ｅと、前蓋１２の天面１２ａの長孔１２ａ２との間にはこのケース５１の先端側に向かって僅かな隙間Ｓが形成されるので、テープ糊カセット５０を前蓋１２の天面１２ａ上に露出した状態で容易に着脱することができる。
【００９１】
従って、筐体１０の外面上に露出した状態でテープ糊カセット５０を着脱自在に設置するテープ糊カセット着脱手段（粘着剤転写具着脱手段）は、カセットケース５１の底面５１ｄに形成した筐体嵌込み部５１ｅと、筐体１０の一部を構成する前蓋１２の天面１２ａに形成した長孔１２ａ２と、バネ付勢された押圧レバー５６とからなる。
【００９２】
次に、図７（ａ），（ｂ）を用いて用紙搬送手段について説明する。図７（ａ）は用紙に糊を転写するときの用紙搬送手段の状態を示し、（ｂ）は用紙に糊を転写しないときの用紙搬送手段の状態を示している。
【００９３】
図７（ａ），（ｂ）に示す如く、用紙搬送手段６０は、先に図５（ａ）を用いて説明したように、筐体１０（図４）内の下フレーム２１（図４）に開閉自在に支持した上フレーム２２の上面２２ａ上に取り付けられている。
【００９４】
この用紙搬送手段６０では、上フレーム２２のうちで用紙搬送方向の上流側に位置する前面２２ｂと、後述する粘着剤転写用プラテンローラ揺動押圧手段７０内の第２プラテンローラ（粘着剤転写用プラテンローラ）７５と対向し且つ用紙搬送方向の下流側に位置する後面２２ｃとの間にスライド部材６１が上フレーム２２の上面２２ａの幅方向中央部位の左右に形成した左右一対のスライド用ガイド片２２ａ１に案内されながらスライド自在に設けられている。
【００９５】
また、スライド部材６１のうちで上フレーム２２の後面２２ｃ側に位置する後端部６１ｂに用紙搬送ローラ（用紙搬送部材）６２が用紙Ｐ（図示せず）の幅方向に沿って回転自在に取り付けられている。
【００９６】
また、スライド部材６１のうちで上フレーム２２の前面２２ｂ側に位置する前端部６１ａと、上フレーム２２の上面２２ａの後方部位（図示せず）との間に引張バネ６３が取り付けられているので、スライド部材６１は引張バネ６３の付勢力により上フレーム２２の後面２２ｃ側に向かって移動するために、スライド部材６１の後端部６１ｂに取り付けた用紙搬送ローラ６２は第２プラテンローラ７５を常時圧接できるようになっている。
【００９７】
また、上フレーム２２の後面２２ｃ側には、用紙Ｐの排出をガイドする複数の用紙搬送用ガイド片２２ａ２がテープ糊カセット５０及び用紙搬送ローラ６２を挟んで上方の用紙排出方向に向かって突出形成されている。
【００９８】
上記のように構成した用紙搬送手段６０の動作を説明すると、図７（ａ）に示す如く、用紙Ｐ（図示せず）に糊を転写するときには、後述するように、粘着剤転写用プラテンローラ揺動押圧手段７０内の第２プラテンローラ７５が上フレーム２２の後面２２ｃに接近した位置まで揺動し、且つ、テープ糊カセット５０の転写ローラ５５（図１，図６）を押圧するので、テープ糊カセット５０内のテープ糊５４（図１）の糊を用紙に転写する。
【００９９】
この時に、スライド部材６１の後端部６１ｂに取り付けた用紙搬送ローラ６２は引張バネ６３の付勢力により用紙を介して第２プラテンローラ７５を押圧しているので、用紙搬送ローラ６２と第２プラテンローラ７５とで用紙を下流側に向けて搬送できる。
【０１００】
一方、図７（ｂ）に示す如く、用紙Ｐ（図示せず）に糊を転写しないときには、第２プラテンローラ７５が上フレーム２２の後面２２ｃから離間するように揺動し、且つ、テープ糊カセット５０の転写ローラ５５（図１，図６）からも離間する。
【０１０１】
この時に、スライド部材６１の後端部６１ｂに取り付けた用紙搬送ローラ６２は引張バネ６３の付勢力により離間した第２プラテンローラ７５に追従するように移動し、用紙を介して第２プラテンローラ７５を押圧しているので、用紙に糊を転写しないときでも用紙搬送ローラ６２と第２プラテンローラ７５とで用紙を下流側に向けて搬送できる。
【０１０２】
尚、上フレーム２２の上面２２ａにスライド自在に設けた用紙搬送ローラ６２は、上フレーム２２を開いたときに第２プラテンローラ７５から離間するので、使用済みの用紙Ｐを交換することができる。
【０１０３】
次に、図８〜図１１を用いて粘着剤転写用プラテンローラ揺動押圧手段７０について説明する。
【０１０４】
図８は粘着剤転写用プラテンローラ揺動押圧手段を斜視的に示している。図９は粘着剤転写用プラテンローラ揺動押圧手段を分解して示している。図１０（ａ），（ｂ）は粘着剤転写用プラテンローラ揺動押圧手段の動作を模式的に示している。図１１（ａ），（ｂ）は粘着剤転写用プラテンローラ揺動押圧手段の動作を斜視的に示している。
【０１０５】
図８及び図９に示した粘着剤転写用プラテンローラ揺動押圧手段７０において、揺動アーム７１は、用紙Ｐの幅方向に幅広く且つ上下方向に長尺に形成された枠状のアーム本体枠７１Ｈと、このアーム本体枠７１Ｈの用紙幅方向の左右に形成した一対の側面７１Ｈａ，７１Ｈｂのうちで高さ方向の中間部位に左右対称にそれぞれ外側に向かって突出させた状態で固着させた左右一対の軸７１Ｊと、後述する左右各組の第１，第２押圧アーム７６，７７及び偏心部材駆動部８０をアーム本体枠７１Ｈに組立てた後にアーム本体枠７１Ｈの左右一対の側面７１Ｈａ，７１Ｈｂの各下方前方部位に枠組みされた状態で支点軸７２を介して後方フレーム２３｛図５（ａ）｝に形成した左右一対の側板部２３ａ，２３ｂ｛図５（ａ）｝に揺動自在に軸着されるアーム支持枠７１Ｓとで一体構造に構成されている。
【０１０６】
この際、アーム本体枠７１Ｈの左右一対の側面７１Ｈａ，７１Ｈｂ間の下方部位に下方連結部７１Ｈｃが連結形成され、且つ、左右一対の側面７１Ｈａ，７１Ｈｂ間の上方部位に上方連結部７１Ｈｄが連結形成され、更に、下方連結部７１Ｈｃと上方連結部７１Ｈｄとの間には矩形状の開口孔７１Ｈｅが形成されている。
【０１０７】
また、揺動アーム７１は、アーム本体枠７１Ｈの左右一対の側面７１Ｈａ，７１Ｈｂの上方に形成した上方連結部７１Ｈｄの内側に、第３モータ７３に連結された第３減速ギア列７４を介して第２プラテンローラ（粘着剤転写用プラテンローラ）７５が回転自在に支持されている。
【０１０８】
また、揺動アーム７１は、アーム本体枠７１Ｈの左右一対の側面７１Ｈａ，７１Ｈｂの各中間部位に固着させた左右一対の軸７１Ｊに、第１，第２押圧アーム７６，７７を１組としてこの組がそれぞれ回動自在に軸支されている。
【０１０９】
この際、左右一対の軸７１Ｊに軸支した各組の第１，第２押圧アーム７６，７７は、各軸７１Ｊに嵌め込んだ後にアーム本体枠７１Ｈの左右一対の側面７１Ｈａ，７１Ｈｂの各下方前方部位に枠組みされるアーム支持枠７１Ｓにより左右一対の軸７１Ｊからの抜け止めが図られている。
【０１１０】
また、図９に示す如く、上記した左右の第１押圧アーム７６は、略Ｌ字状に形成されており、この上端に後方フレーム２３｛図５（ａ）｝の内面２３ｄに接離する円弧状突出部７６ａが形成され、且つ、この円弧状突出部７６ａの下方に一段凹んで係合用凹部７６ｂが形成されていると共に、上端と軸孔７６ｃを挟んだ前方端に圧縮バネ７８の一端を掛止するバネ掛止部７６ｄが形成されている。
【０１１１】
一方、上記した左右の第２押圧アーム７７は、上下方向に沿って略直線板状に形成されており、この上端に第１押圧アーム７６の係合用凹部７６ｂに係合する係合部７７ａが形成されていると共に、上端と軸孔７７ｂを挟んだ下端側に長孔７７ｃと、圧縮バネ７８の他端を掛止するバネ掛止部７７ｄとが形成されている。
【０１１２】
また、揺動アーム７１は、アーム本体枠７１Ｈの下方に形成した下方連結部７１Ｈｃの内側に、偏心部材駆動部８０が取り付けられている。
【０１１３】
上記した偏心部材駆動部８０では、アーム本体枠７１Ｈの下方連結部７１Ｈｃの内側に、第４モータ８１に連結された第４減速ギア列８２を介して回転する回転軸８３がアーム本体枠７１Ｈの幅方向に沿って取り付けられている。
【０１１４】
また、回転軸８３の左右に固着した円板８５に偏心ピン８６が回転軸８３と平行に左右端側に向かってそれぞれ取り付けられていると共に、右側の円板８５に接して半円板状遮蔽板８７が回転軸８３に固着されている。
【０１１５】
そして、回転軸８３と一体に回転する左右の偏心ピン８６を前記した左右の第２押圧アーム７７の各長孔７７ｃ内に嵌合させているので、左右の偏心ピン８６の回転に伴って左右の第２押圧アーム７７と左右の第１押圧アーム７６とが左右の圧縮バネ７８を介して後述の動作で説明するように連動して回動できるようになっている。
【０１１６】
更に、回転軸８３に固着した半円板状遮蔽板８７と対向して光透過型センサ８８が設置されており、この半円板状遮蔽板８７と光透過型センサ８８とにより偏心ピン８６の回転位置（前方位置，後方位置）を検出している。
【０１１７】
上記のように構成した粘着剤転写用プラテンローラ揺動押圧手段７０の動作を説明すると、図１０（ａ）及び図１１（ａ）に示す如く、用紙Ｐに糊を転写するときには、偏心部材駆動部８０内の第４モータ８１を介して回転軸８３を回転させて、この回転軸８３に固着させた左右の円板８５に取り付けた左右の偏心ピン８６が前方位置に至って半円板状遮蔽板８７が後方側に向いたら回転軸８３の回転を止める。
【０１１８】
このとき、第２押圧アーム７７は、この下端側の長孔７７ｃ内に嵌合した偏心ピン８６の前方位置により軸７１Ｊを中心にして反時計方向に回動し、且つ、第２押圧アーム７７の反時計方向に回動により第１，第２押圧アーム７６，７７間に掛止させた圧縮バネ７８が伸びるので、第１押圧アーム７６も第２押圧アーム７７に追従して軸７１Ｊを中心にして反時計方向に回動し、第１押圧アーム７６の上端に形成した円弧状突出部７６ａが後方フレーム２３の内面２３ｄに当接する。
【０１１９】
そして、第１押圧アーム７６の円弧状突出部７６ａが後方フレーム２３の内面２３ｄで押されると、この反力により第１，第２押圧アーム７６，７７を軸支している軸７１Ｊが前方側に移動するために揺動アーム７１が支点軸７２を中心にして時計方向に揺動し、これにより揺動アーム７１に取り付けた第２プラテンローラ７５が用紙Ｐ及びテープ糊５４（図１）を介して転写ローラ５５を押圧するので、用紙Ｐにテープ糊５４の糊が転写されると共に、第２プラテンローラ７５に追従する用紙搬送ローラ６２と第２プラテンローラ７５とで用紙Ｐが第１の用紙経路（糊を転写する場合の用紙経路）ＰＫ１に沿って下流側に搬送される。
【０１２０】
一方、図１０（ｂ）及び図１１（ｂ）に示す如く、用紙Ｐに糊を転写しないときには、偏心部材駆動部８０内の第４モータ８１を介して回転軸８３を図１０（ａ）及び図１１（ａ）の状態から１８０°回転させて、この回転軸８３に固着させた左右の円板８５に取り付けた左右の偏心ピン８６が後方位置に至って半円板状遮蔽板８７が前方側に向いたら回転軸８３の回転を止める。
【０１２１】
このとき、第２押圧アーム７７は、この下端側の長孔７７ｃ内に嵌合した偏心ピン８６の後方位置により軸７１Ｊを中心にして上記とは逆に時計方向に回動し、且つ、第２押圧アーム７７の時計方向に回動により第１，第２押圧アーム７６，７７間に掛止させた圧縮バネ７８が縮むので、第１押圧アーム７６も第２押圧アーム７７に追従して軸７１Ｊを中心にして時計方向に回動し、第１押圧アーム７６の上端に形成した円弧状突出部７６ａが後方フレーム２３の内面２３ｄから離間する。
【０１２２】
そして、第１押圧アーム７６が後方フレーム２３の内面２３ｄから離間すると、揺動アーム７１が支点軸７２を中心にして反時計方向に揺動し、これにより揺動アーム７１に取り付けた第２プラテンローラ７５は転写ローラ５５から離間するので、用紙Ｐにテープ糊５４（図１）の糊を転写することができないが、第２プラテンローラ７５に追従する用紙搬送ローラ６２と第２プラテンローラ７５とで用紙Ｐが第２の用紙経路（糊を転写しない場合の用紙経路）ＰＫ２に沿って下流側に搬送される。
【０１２３】
従って、先に図１（ａ），（ｂ）を用いて説明したと同様に、第２プラテンローラ７５の転写ローラ５５への接離動作により印刷済みの用紙Ｐへの糊の転写制御ができると共に、第２プラテンローラ７５の転写ローラ５５への接離動作に追従する用紙搬送ローラ６２と第２プラテンローラ７５とにより糊転写済みの用紙Ｐ又は糊を転写しない印刷済みの用紙Ｐを下流側に向けて確実に搬送できる。
【０１２４】
以上詳述したように本発明に係るメモプリンタ１によると、ロール状に巻回した用紙Ｐにメモなどの情報を印刷手段３０により印刷した後に、印刷済みの用紙Ｐに剥離可能な粘着剤（糊）を粘着剤転写具５０の転写ローラ５５により転写し且つ粘着剤を転写した用紙Ｐを切断手段４０により所望の長さに切断して付箋紙などの印刷物を作成する際に、とくに、第２プラテンローラ（粘着剤転写用プラテンローラ）７５の転写ローラ５５への接離動作に追従する用紙搬送ローラ（用紙搬送部材）６２を第２プラテンローラ７５上の用紙Ｐの幅方向における転写ローラ５５が接離する部位を除いた部位に常時圧接させているので、印刷済みの用紙Ｐに粘着剤を転写するときは勿論のこと、粘着剤を転写しない場合でも用紙Ｐを下流側に確実に搬送することができ、更に、粘着剤転写済みの用紙又は粘着剤を転写しない印刷済みの用紙を所望の長さに切断した後も下流側に搬送することができる。
【０１２５】
更に、特許文献１記載におけるような印刷済みの記録紙に粘着剤テープの粘着剤を転写させない場合に、粘着剤テープを巻き取らないように電磁クラッチを非接触状態に切り換えて転写ローラ及び一対の繰り出しローラの回転を停止させる必要がないので、メモプリンタ１を小型化でき、且つ、使用勝手の良いメモプリンタ１を安価に提供できる。
【符号の説明】
【０１２６】
１…メモプリンタ、
１０…筐体、１１…底枠、１２…前蓋、１２ａ…天面、１２ａ１…用紙排出口、
１２ａ２…長孔、１２ａ３…位置決め用凹部、１３…後蓋、１３ａ…天面、
２１…下フレーム、２１ａ…ロール紙装填部、２１ｂ…上面、
２２…上フレーム、２２ａ…上面、２２ａ１…スライド用ガイド片、
２２ａ２…用紙搬送用ガイド片、２２ｂ…前面、２２ｃ…後面、
２３…後方フレーム、２３ｄ…内面、
３０…印刷手段、３１…サーマルヘッド、３２…第１モータ、
３３…印刷用プラテンローラ（第１プラテンローラ）、
４０…切断手段、４１…第２モータ、４２…可動カッター、４３…固定カッター、
３０／４０…印刷／切断ユニット、
５０…粘着剤転写具（テープ糊カセット）、
５１…カセットケース、５１ａ…先端部、５１ｂ…後端部、５１ｃ…丸孔、
５１ｄ…底面、５１ｅ…筐体嵌込み部、５１ｅ１…押圧部、
５１ｅ２…位置決め用凸部、
５２…供給リール、５３…巻取リール、
５４…テープ糊、５５…転写ローラ、５６…押圧レバー、５７…引張バネ、
６０…用紙搬送手段、６１…スライド部材、６２…用紙搬送部材（用紙搬送ローラ）、
６３…引張バネ、
７０…粘着剤転写用プラテンローラ揺動押圧手段、
７１…揺動アーム、７１Ｈ…アーム本体枠、７１Ｊ…軸、７１Ｓ…アーム支持枠、
７２…支点軸、７３…第３モータ、７４…第３減速ギア列、
７５…粘着剤転写用プラテンローラ（第２プラテンローラ）、
７６…第１押圧アーム、７６ａ…円弧状突出部、７６ｂ…係合用凹部、
７７…第２押圧アーム、７７ａ…係合部、７８…圧縮バネ、
８０…偏心部材駆動部、
８１…第４モータ、８２…第４減速ギア列、８３…回転軸、
８４…偏心カム、８４ａ…大径部、８４ｂ…小径部、
８５…円板、８６…偏心ピン、８７…半円板状遮蔽板、８８…光透過型センサ、
９０…制御部、
Ｐ…用紙、Ｐａ…表面、Ｐｂ…裏面、
ＰＫ１…第１の用紙経路（糊を転写する場合の用紙経路）、
ＰＫ２…第２の用紙経路（糊を転写しない場合の用紙経路）。
【図１】
2014234293.tif 000003
【図２】
2014234293.tif 000004
【図３】
2014234293.tif 000005
【図４】
2014234293.tif 000006
【図５】
2014234293.tif 000007
【図６】
2014234293.tif 000008
【図７】
2014234293.tif 000009
【図８】
2014234293.tif 000010
【図９】
2014234293.tif 000011
【図１０】
2014234293.tif 000012
【図１１】
2014234293.tif 000013